(57)【要約】【課題】風車に絡んだ球を始動入賞部品の方に誘導する性能向上を図る。【解決手段】球発射通路２から遊技領域３に発射された球がセンター飾り１４の上部左側のゲージ領域５を流下して風車９に絡み、風車９に絡んだ球が風車９を右回転すると、当該球は風車９の右回転で上側連釘５１の上を始動入賞部品１１のアーチ部１６に向けて流下する一方、上記風車９に絡んだ球が風車９を左回転すると、当該球は風車９の左回転で風車９に対する球噛みを解消しつつ風車９の真下やその周囲で球を通過しないようになっている下側連釘５３の上を始動入賞部品１１の開放された開閉体１７に向けて流下する。【選択図】        図１
2004147941.tif 000002
【特許請求の範囲】
【請求項１】
遊技領域に開閉体を有する始動入賞部品と、始動入賞部品よりも斜め上方に回転可能に設けられた風車と、風車に絡む球を始動入賞部品の上部に誘導する上側連釘と、風車に絡む球を始動入賞部品の開放中の開閉体に誘導する下側連釘とを備え、下側連釘が風車の真下やその周囲で球噛みを解消しつつ球を通過しない形態に形成されたことを特徴とするパチンコ機の遊技盤。
【請求項２】
遊技領域が遊技釘の設けられたゲージ領域と遊技釘の設けられていない非ゲージ領域とに二分された非対称に構成され、始動入賞部品と風車と上側連釘および下側連釘がゲージ領域に設けられたことを特徴とする請求項１記載のパチンコ機の遊技盤。
【発明の詳細な説明】
【０００１】
【発明の属する技術分野】
本発明はパチンコ機の遊技盤であって、風車周りの遊技釘の配置に関する。
【０００２】
【従来の技術】
従来のパチンコ機の遊技盤は、遊技領域に、始動入賞部品、始動入賞部品よりも斜め上方に風車と、風車に絡む球を始動入賞部品の上部に誘導する上側連釘と、風車に絡む球を始動入賞部品の開放中の開閉体に誘導する下側連釘とを備えている。
【０００３】
【発明が解決しようとする課題】
しかしながら、前記従来例は、下側連釘が風車の真下やその周囲で球噛みしないように球を通過する隙間を備えているので、当該隙間から球が下方に落下し、始動入賞部品の方に球を誘導する性能が低下し、始動入賞部品に入賞する確率が悪く、遊技性に欠けるという問題点があった。
【０００４】
そこで、本発明は、風車に絡んだ球を始動入賞部品の方に誘導する性能を上げて、始動入賞部品に入賞する確率を高くして、遊技性を向上することができるパチンコ機の遊技盤を提供するものである。
【０００５】
【課題を解決するための手段】
本発明にあっては、遊技領域に開閉体を有する始動入賞部品と、始動入賞部品よりも斜め上方に回転可能に設けられた風車と、風車に絡む球を始動入賞部品の上部に誘導する上側連釘と、風車に絡む球を始動入賞部品の開放中の開閉体に誘導する下側連釘とを備え、下側連釘が風車の真下やその周囲で球噛みを解消しつつ球を通過しない形態に形成されたことによって、風車周りに設けられた上側連釘と下側連釘とが風車に絡んだ球を逃がすことなく始動入賞部品の方に誘導するので、始動入賞部品の開閉体が開いた場合は勿論のこと、開閉体が閉じている場合でも始動入賞部品に対する入賞確率が高くなり、遊技性を向上することができる。また、本発明にあっては、遊技領域が遊技釘の設けられたゲージ領域と遊技釘の設けられていない非ゲージ領域とに二分された非対称に構成され、始動入賞部品と風車と上側連釘および下側連釘がゲージ領域に設けられれば、遊技者が非ゲージ領域による球飛びと非ゲージ領域による球の流れとを明確に使い分けた遊技を堪能することができる。
【０００６】
【発明の実施の形態】
図１および図２は一実施形態であって、図１は遊技盤１の正面を示し、図２は風車９周りの正面を示す。
【０００７】
図１を参照し、遊技盤１について説明する。遊技盤１は前面である意匠盤面に球発射通路２と遊技領域３とを備える。球発射通路２は図外の球発射機構から発射された球を遊技領域３に導くようにガイドレール４の外側部分と内側部分との間に形成された通路である。球発射機構は遊技盤１の装着される図外の遊技機枠に設けられる部品である。遊技領域３はゲージ領域５と非ゲージ領域６とに二分された非対称に構成される。ゲージ領域５は球発射通路２に近い左側に配置される。ゲージ領域５には障害釘とも呼ばれる多数本の遊技釘７、入賞部品８、風車９、サイドランプ１０、始動入賞部品１１、アタッカーや大入賞口と呼ばれる可変入賞部品１２、ハートと呼ばれるアウト口１３などの部品が設けられる。
【０００８】
非ゲージ領域６は遊技釘７の設けられていない領域であって、球発射通路２から離れた右側に配置される。非ゲージ領域６にはセンター飾り１４や回胴形の特別遊技表示器１５が設けられる。始動入賞部品１１は電動チューリップに類似する形態であって、上部にアーチ部１６を備え、下部に左右に開閉する開閉体１７を備える。アーチ部１６は開閉体１７に球が直撃するのを防止する部分であって、１個の球が通過可能であるが２個の球が横に並んで通過不可能な球通路を備える。始動入賞部品１１は、開閉体１７が閉じた場合でも球が入賞する可能性があり、開閉体１７が開いた場合には球が入賞し易くなる。
【０００９】
センター飾り１４は遊技領域３の中央部および右上半分を覆う大形であって、前方に開放された中央凹部１８に透過性パネル１９を備え、中央凹部１８の上部に光演出部２０；２１を備え、中央凹部１８の下部にステージ２２を備え、中央凹部１８の左側に周壁２３および球取込部２４を備え、中央凹部１８の右側に固定形のフィギュア２５を備える。透過性パネル１９の裏側には液晶表示器のような図柄表示器２６が配置される。光演出部２０；２１と周壁２３およびフィギュア２５はセンター飾り１４の外側から中央凹部１８の方向に向かう球を阻止するように突出した形態である。光演出部２０はシャッター２７が裏側に設けられた図外の駆動機構で９０度に回転して開くことによって光演出部２０の内部で点灯した表示灯の光が開いたシャッター２７の隙間から前側に透過する、所謂、モールス信号を光で発信する場合に用いられる信号灯のような形態である。
【００１０】
ステージ２２は球取込部２４からワープ入口２８、ワープ通路２９を経由して排出された球を振分部３０で中央球出口３１と左右球落下部３２とのいずれかに振り分ける。ステージ２２における中央球出口３１に振り分けられた球は当該中央球出口３１から真下の始動入賞部品１１のアーチ部１６に向けて落下する。ステージ２２における左右球落下部３２に振り分けられた球は当該左右球落下部３２から始動入賞部品１１のアーチ部１６よりも左右に外れた位置に向けて落下する。
【００１１】
そして、球発射通路２から遊技領域３に発射された球が始動入賞部品１１に入賞すると、始動入賞部品１１に入賞した球を検出した図外の球検出器が始動入賞信号を図外の制御装置に出力し、制御装置が抽選処理を実行するとともに図柄表示器２６を駆動し、図柄表示器２６が図柄変動を開始した後に抽選結果を反映すべく停止する。抽選処理で外れが抽選されている場合は図柄表示器２６で停止した確定図柄が当たり図柄以外となり、制御装置が始動入賞に伴うそれ以降の大当たり制御を終了する。抽選処理で当たりが抽選されている場合は図柄表示器２６で停止した確定図柄が当たり図柄で揃った後、制御装置が始動入賞に伴うそれ以降の大当たり制御を実行する。この大当たり制御により可変入賞部品１２の開閉体３３が所定回数または所定時間だけ開閉する。上記抽選処理において確変または時短が抽選された場合、制御装置は図柄表示器２６での確定図柄表示以降に特別遊技表示器１５を表示制御し、特別遊技表示器１５の回胴が確変を表わす確変表示図柄または時短を表わす時短表示図柄を遊技者から見えるように表示停止する。
【００１２】
一方、ゲージ領域５において、始動入賞部品１１と特別遊技表示器１５との間には上側連釘３５、調整釘３６、下側連釘３７、振分釘３８が設けられる。上側連釘３５はセンター飾り１４とガイドレール４との間の球通路３９を経由して特別遊技表示器１５に絡んだ球を始動入賞部品１１のアーチ部１６に向けて球を誘導する形態であって、上側連釘３５を構成する個々の遊技釘は球が通過不可能な間隔で右から左に下がる坂道を形成するように斜めに配置される。上側連釘３５と調整釘３６との間の隙間４０、調整釘３６とアーチ部１６との間の隙間４２は１個の球が通過可能であるが２個の球が横に並んで通過不可能な隙間になっている。下側連釘３７は球通路３９を経由して特別遊技表示器１５における半球形な透過性を有する前面カバー４３に絡んだ球を始動入賞部品１１における開放中の右側の開閉体１７に向けて球を誘導する形態であって、下側連釘３７を構成する個々の遊技釘は球が通過不可能な間隔で右から左に下がる坂道を形成するように斜めに配置される。下側連釘３７と振分釘３８との間の隙間４４、振分釘３８と開放中の右側の開閉体１７との間の隙間４５は１個の球が通過可能であるが２個の球が横に並んで通過不可能な隙間になっている。
【００１３】
また、風車９の周囲には上側連釘５１、調整釘５２、下側連釘５３、振分釘５４が設けられる。この風車９周りの下側連釘５３や振分釘５４よりも下部、前記特別遊技表示器１５周りの下側連釘３７や振分釘３８よりも下部には、可変入賞部品１２の開放中の開閉体３３に向けて球を誘導する下部連釘５５が設けられる。
【００１４】
図２にも示すように、ゲージ領域５において、特に、風車９の周囲には上側連釘５１と下側連釘５３とが設けられる。上側連釘５１は風車９に絡んだ球を始動入賞部品１１のアーチ部１６に向けて球を誘導する形態であって、第１・第２・第３上側連釘５６：５７；５８を備える。第１−第３上側連釘５６−５８を構成する個々の遊技釘は球が通過不可能な間隔で左から右に下がる坂道を形成するように斜めに配置される。第１上側連釘５６と第２上側連釘５７との間の隙間５９、第２上側連釘５７と第３上側連釘５８との間の隙間６１、第３上側連釘５８と調整釘５２との間の隙間６２、調整釘５２とアーチ部１６との間の隙間６３は１個の球が通過可能であるが２個の球が横に並んで通過不可能な隙間になっている。
【００１５】
下側連釘５３は風車９に絡んだ球を始動入賞部品１１における開放中の左側の開閉体１７に向けて球を誘導する形態であって、第１・第２・第３下側連釘６５；６６；６７を備える。第１−第３下側連釘６５−６７を構成する個々の遊技釘は球が通過不可能な間隔で左から右に下がる坂道を形成するように斜めに配置される。第１下側連釘６５と第２下側連釘６６との間の隙間６８、第２下側連釘６６と第３下側連釘６７との間の隙間６９、第３下側連釘６７と振分釘５４との間の隙間７１、振分釘５４と開放中の左側の開閉体１７との間の隙間７２は１個の球が通過可能であるが２個の球が横に並んで通過不可能な隙間になっている。
【００１６】
本実施形態の構造によれば、球発射通路２から遊技領域３に発射された球がセンター飾り１４の上部左側のゲージ領域５を流下して風車９に絡む。そして、風車９に絡んだ球が風車９を右回転すると、当該球は風車９の右回転で上側連釘５１の上をアーチ部１６に向けて流下する。その流下する過程において、或る球は第１上側連釘５６と第２上側連釘５７との間から落下して第２下側連釘６６に受け止められ、別の或る球は第２上側連釘５７と第３上側連釘５８との間から落下して第３下側連釘６７に受け止められ、また、別の球は第３上側連釘５８と調整釘５２との間から落下して振分釘５４に衝突し、さらに、別の球は調整釘５２に衝突して斜め上方に飛び上がって始動入賞部品１１に対する命釘７３（図１参照）の間、アーチ部１６の球通路、閉じた開閉体１７の間を順に経由して始動入賞部品１１に入賞する。
【００１７】
また、風車９に絡んだ球が風車９を左回転すると、当該球は風車９の左回転で下側連釘５３の上を始動入賞部品１１の開放中の左側の開閉体１７に向けて流下する。その流下する過程において、或る球は第１下側連釘６５と第２下側連釘６６との間から落下し、別の或る球は第２下側連釘６６と第３下側連釘６７との間から落下して図１の下部連釘５５に受け止められ、また、別の球は第３下側連釘６７と振分釘５４との間から落下し、さらに、別の球は振分釘５４に衝突する。この振分釘５４に衝突した球が斜め上方に飛び上がって調整釘５２との間を経由して開放中の左側の開閉体１７に取り込まれて始動入賞部品１１に入賞する。振分釘５４に衝突した球が斜め下方に落下した場合は下部連釘５５に受け止められる。
【００１８】
特に、風車９周りにおける第１下側連釘６５にあっては風車９に対する球噛みを解消しつつ風車９の真下やその周囲で球を通過しないようになっているので、風車９周りに設けられた第１上側連釘５６と第１下側連釘６５とが風車９に絡んだ球を逃がすことなく始動入賞部品１１の方に誘導するので、開閉体１７が開いた場合は勿論のこと、開閉体１７が閉じている場合でも始動入賞部品１１に入賞する確率が高くなる。符号７、３５−３８、５１−５８、６５−６７、７３は同種の釘で構成されている。
【図面の簡単な説明】
【図１】一実施形態の遊技盤を示す正面図。
【図２】同実施形態の風車周りを示す正面図。
【符号の説明】
１  遊技盤
３  遊技領域
５  ゲージ領域
６  非ゲージ領域
９  風車
１１  始動入賞部品
１７  開閉体
５１  上側連釘
５３  下側連釘
【図１】
2004147941.tif 000003
【図２】
2004147941.tif 000004